(57)【要約】【課題】簡易な構成で電源装置等に流れる電流を低減することができるエレベータの乗場表示装置を得る。【解決手段】複数の乗場に設置され、制御盤からの駆動信号により、交流電源によって点灯し、かごの階床位置や昇降方向等のかご情報を表示するランプ式インジケータと、駆動信号を受信すると交流電源の電圧波形の電圧がゼロとなる回数を交流電源の周期毎にカウントする交流電圧波形カウント手段と、この交流電圧波形カウント手段によってカウントされたカウント値に対応した階のランプ式インジケータを点灯するインジケータ点灯指示手段と、を備える。【選択図】  図１
2010180010.tif 000002
【特許請求の範囲】
【請求項１】
各階の乗場に設置され、駆動信号により、交流電源によって点灯し、かごが通過しようとする階であるかご階床位置やかごの昇降方向等のかご情報を表示するランプ式インジケータと、
前記駆動信号を受信すると前記交流電源の周期毎にカウント値をカウントする交流電圧波形カウント手段と、
該交流電圧波形カウント手段のカウント値に対応した階の前記ランプ式インジケータを点灯するインジケータ点灯指示手段と、
を備えたことを特徴とするエレベータの乗場表示装置。
【請求項２】
前記インジケータ点灯指示手段は、１番目の前記カウント値に対して前記かご階床位置の階の前記ランプ式インジケータを最初に点灯させ、次に、２番目以降の前記カウンタ値に対して、順次、前記かごの昇降方向に向かって、次の階の前記ランプ式インジケータを点灯させることを特徴とする請求項１に記載のエレベータの乗場表示装置。
【請求項３】
各階の乗場表示装置に前記交流電圧波形カウント手段と前記インジケータ点灯指示手段と前記ランプ式インジケータとを設けるとともに、前記乗場表示装置が設置されている階数を設定する階床設定手段を設け、前記制御盤と前記乗場表示装置とをシリアル伝送により接続したことを特徴とする請求項１または２に記載のエレベータの乗場表示装置。
【請求項４】
前記制御盤に前記交流電圧波形カウント手段と前記インジケータ点灯指示手段とを設け、前記制御盤と前記ランプ式インジケータとをパラレル伝送により接続したことを特徴とする請求項１または２に記載のエレベータの乗場表示装置。
【発明の詳細な説明】
【技術分野】
【０００１】
この発明は、乗場に設置され、かごの階床位置や昇降方向等のかご情報をランプ式インジケータで表示するエレベータの乗場表示装置に関するものである。
【背景技術】
【０００２】
エレベータの乗場表示装置には、乗場の乗客に対して、かごが今どの階を昇降しているのかを示すかご階床位置やかごの昇降方向などのかご情報を表示する乗場表示器が、各乗場に設置されている。一般的な乗場表示器としては、ランプ式インジケータがあり、このランプ式インジケータを点灯することで表示が行われている。このランプ式インジケータは点灯開始時に一時的に突入電流を発生する特性がある。しかも、この突入電流は、点灯開始からある程度経過したときの通常電流よりも大きな電流である。従来の乗場表示装置は、各階のランプ式インジケータをほぼ同一時間で点灯する。例えば、かごが上昇して４階を通過した時点で、４階を表した各階のランプ式インジケータとかごが上昇中であることを表したランプ式インジケータとがほぼ同一時間に点灯する。これにより、かご階床位置とかご昇降方向を各階の乗客に認識させている。
【０００３】
各階の全てのランプ式インジケータがほぼ同一時間に点灯すると、各階のランプ式インジケータの突入電流が重複して流れる。特に階床の多いエレベータでは、突入電流の合計値は相当に大きなものとなる。従って、電源装置やヒューズ及びブレーカーなどの機器は容量の大きなものを設置する必要があるといった問題点がある。
【０００４】
機器に流れる突入電流の重複を避ける問題を解消するものに、特許文献１に示すものがある。これは、各階の乗場表示器を駆動する乗場分岐装置が各階床に設置されており、電源が投入された際に、各階の乗場分岐装置に電流が流れ乗場表示器を駆動するものである。乗場分岐装置にはコンデンサと、コンデンサの充電を検出する充電検出装置と、充電検出装置の検出によって配線が接続する充電タイミング制御スイッチが備えられている。これにより、電源が投入された際、まず、最下階の乗場分岐装置のコンデンサが充電され、充電検出装置がこれを検出すると、充電タイミング制御スイッチがＯＮとなって乗場表示器を駆動する。最下階の充電タイミング制御スイッチがＯＮとなったことにより、次の階の乗場分岐装置のコンデンサが充電され、同様に次の階の充電タイミング制御スイッチがＯＮとなって次階の乗場表示器を駆動する。その後、同様に順次、次の階の乗場表示器を駆動する。このように、コンデンサの充電と充電タイミング制御スイッチによって、電源投入時に、各階の乗場表示器に対して突入電流が流れるタイミングをずらしている。これにより電源装置等に流れる突入電流の重複を避けている。
【先行技術文献】
【特許文献】
【０００５】
【特許文献１】特開２００５−１７０５３８号公報（第３頁、第１図）
【発明の概要】
【発明が解決しようとする課題】
【０００６】
しかしながら、特許文献１のものは、電源投入時の突入電流の重複を避けることはできるが、あくまで電源投入時の初期段階である。しかも、充電タイミング制御スイッチのような制御スイッチでランプ式インジケータの電流が流れるタイミングをずらしているので、制御スイッチが別途必要となり、装置が複雑となる。エレベータは、電源が投入された後に運行している時でも、全階のランプ式インジケータを点灯してかご情報を表示する。このとき、特許文献１のものでは、装置が複雑となるばかりではなく、電源装置等に流れる突入電流の重複を避けることはできないといった問題点がある。
本発明は、かかる問題を解決するためになされたもので、その目的は、簡易な構成で交流電源に流れる電流を低減することができるエレベータの乗場表示装置を得ることである。
【課題を解決するための手段】
【０００７】
この発明に係るエレベータの乗場表示装置は、各階の乗場に設置され、駆動信号により交流電源によって点灯し、かごが通過しようとする階であるかご階床位置やかごの昇降方向等のかご情報を表示するランプ式インジケータと、駆動信号を受信すると交流電源の周期毎にカウント値をカウントする交流電圧波形カウント手段と、この交流電圧波形カウント手段によってカウントされたカウント値に対応した階のランプ式インジケータを点灯するインジケータ点灯指示手段と、を備えたものである。なお、交流電源の周期とは、交流電源の周波数に対して、１周期や１／２周期、１／４周期など、ある周期のことである。
【発明の効果】
【０００８】
これにより、各階のランプ式インジケータは交流電源の周期毎に点灯するタイミングがずれ、交流電源に流れる突入電流が重複することがない。従って、交流電源に流れる電流を低減することができる。また、ランプ式インジケータが点灯するタイミングは、交流電源の周期毎にカウントされるカウント値に基づいて行われるので、点灯するタイミングをずらすための制御スイッチなどの機器を必要とせず簡単な構成で実現できる。
【図面の簡単な説明】
【０００９】
【図１】本発明の実施の形態１におけるエレベータの乗場表示装置を用いたエレベータの全体構成図である。
【図２】乗場の正面を示した図である。
【図３】横軸を時間とした、交流電源の電圧波形と各階床のランプ式インジケータの点灯タイミングを示したものである。
【図４】本発明の実施の形態１におけるエレベータの乗場表示装置の処理動作を示すフローチャートである。
【図５】本発明の実施の形態２におけるエレベータの乗場表示装置の動作を模式的に示した図である。
【図６】本発明の実施の形態２におけるエレベータの乗場表示装置の処理動作を示すフローチャートである。
【図７】本発明の実施の形態３におけるエレベータの乗場表示装置を用いたエレベータの全体構成図である。
【発明を実施するための形態】
【００１０】
以下、本発明の実施の形態について、詳細に説明する。
実施の形態１．
図１は、本発明の実施の形態１におけるエレベータの乗場表示装置を用いたエレベータの全体構成図である。図２は、乗場の正面を示した図である。
図において、エレベータは、ロープ１の一端にかご２が懸架され、巻上機３にロープ１が巻き掛けられて、他端に釣合い錘４が懸架されている。そして、巻上機３が制御盤５によって制御され、かご２と釣合い錘４がつるべ式に昇降される。かご２は昇降して各階の乗場６に停止し、乗客がかご２に乗降する。各階の乗場６には、乗場表示装置７が設置されている。乗場表示装置７には、乗場表示器であるランプ式インジケータ８が装備されている。ランプ式インジケータ８は、例えば図２のように、かごが今どの階を通過しようとしているのかを示すかご階床位置を表示するかご階インジケータ８ａや、かごの昇降方向を表示する昇降方向インジケータ８ｂなどである。そして、ランプ式インジケータ８が点灯することで、各階の乗場６の乗客に対して、かご階床位置やかご昇降方向などのかご情報を表示する。
【００１１】
また、乗場表示装置７は、制御盤５とシリアル伝送によって接続されており、制御盤５によって制御される。エレベータの電源装置は制御盤５に装備された交流電源５ａによって構成される。そして、この交流電源５ａによって各階の乗場表示装置７が駆動される。また、制御盤５に設けられたかご情報送信手段９が、各階の乗場表示装置７にかご情報を送信し、乗場表示装置７を駆動させる。このかご情報送信手段９が乗場表示装置７を駆動させる駆動信号となる。
乗場表示装置７には、交流電圧波形カウント手段１０と、インジケータ点灯指示手段１１と、階床設定手段１２とが設けられている。そして、かご情報送信手段９からの信号を受信すると、交流電圧波形カウント手段１０がこの受信を起点に、交流電源５ａの電圧波形に基づいて、電圧がゼロとなる回数を交流電源５ａの周期毎にカウントする。以下、このカウント値を交流電圧波形カウント値と称す。そして、交流電圧波形カウント手段１０は交流電圧波形カウント値とかご情報をインジケータ点灯指示手段１１へ送信する。
【００１２】
階床設定手段１２は、各階の乗場表示装置７がどの階に設置されたものなのか、その階数を設定するものである。以下、この階数を階床データと称す。そして、階床データをインジケータ点灯指示手段１１へ送信する。
インジケータ点灯指示手段１１は、交流電圧波形カウント値と階床データとを比較し、交流電圧波形カウント値に対応した階のランプ式インジケータ８を点灯させてかご情報を表示させる。
【００１３】
次に上記の各手段の処理について図３を用いて具体的に説明する。図３は、横軸を時間とした、交流電源５ａの電圧波形と各階のランプ式インジケータ８が点灯するタイミニグを示したものである。
例えば、かご２が２階から上昇し４階を通過しようとするとき、この時点（図３のＡ時点）で、かご情報送信手段９は、かご情報を交流電圧波形カウント手段１０へ送信する。このときのかご情報は、かご階床位置「今かご２が４階を通過しようとしていること」とかご昇降方向「かご２が上昇していること」である。交流電圧波形カウント手段１０はＡ時点を起点として電圧がゼロとなる回数を交流電源５ａの周期毎にカウントする。交流電源５ａの電圧は図２のように一定の周期でサインカーブ状に変化する。従って、交流電源５ａの電圧は１／２周期あるいは１周期毎にゼロとなる。ここでは、交流電圧波形カウント手段１０は電圧がゼロとなる点を１周期毎にカウントする。即ち、Ａ時点から初めに電圧がゼロとなった時点で交流電圧波形カウント値が「１」、次の１周期後の電圧がゼロとなった時点で交流電圧波形カウント値が「２」、以降、順次、交流電圧波形カウント値が「３，４…」となるようにカウントする。
【００１４】
インジケータ点灯指示手段１１は、交流電圧波形カウント値と階床設定手段１２の階床データとを比較して、交流電圧波形カウント値に対応した階のランプ式インジケータ８を点灯させる。具体的には、交流電圧波形カウント値が「１」のとき、階床データが「１階」の場合に１階に設置されたランプ式インジケータ８を点灯させる。同様に、交流電圧波形カウント値が「２」のとき、２階に設置されたランプ式インジケータ８を点灯させる。以降、順次、「３，４…」階のランプ式インジケータ８を点灯させる。なお、インジケータ点灯指示手段１１は交流電源５ａの電圧がゼロとなった時点でランプ式インジケータ８を点灯させる。また、インジケータ点灯指示手段１１は、交流電圧波形カウント手段１０から受信したかご情報に基づいてランプ式インジケータ８を点灯させる。即ち、４階を示すかご階インジケータ８ａと、かご２が上昇であることを示す昇降方向インジケータ８ｂとを点灯し、かご階床位置とかご昇降方向を表示する。
【００１５】
このように、各階のランプ式インジケータ８は交流電源５ａの周期毎に点灯するタイミングがずれる。なお、交流電源５ａの１周期は日本では５０Ｈｚと６０Ｈｚであるので、ランプ式インジケータ８が点灯するタイミングのずれ量は１７ｍｓｅｃか２０ｍｓｅｃと小さい。例えば、階床が５０階数のあるエレベータでは、ランプ式インジケータ８が最初に点灯する階と最後に点灯する階の点灯開始時間のずれは１ｓｅｃ程度であり、特に実用上問題とならない。
【００１６】
次に、本発明の実施の形態１におけるエレベータの乗場表示装置の処理動作を図４を用いて説明する。図４は実施の形態１における乗場表示装置の処理動作を示すフローチャートである。
図において、制御盤５に設けられたかご情報送信手段９が各階の乗場表示装置７にかご情報を送信する（ステップＳ１）。次に、ステップＳ２へ進み、乗場表示装置７の交流電圧波形カウント手段１０がかご情報を受信し、交流電圧波形カウント値をカウントする。そして、この交流電圧波形カウント値とかご情報をインジケータ点灯指示手段１１に送信する。また、ステップＳ２では、階床設定手段１２がインジケータ点灯指示手段１１に階床データを送信する。次に、ステップＳ３へ進み、インジケータ点灯指示手段１１が交流電圧波形カウント値と階床設定手段１２の階床データとを比較する。このステップＳ３では、交流電圧波形カウント値「ｎ」の値と階床データ「ｎ階」の値が同じである場合、ランプ式インジケータ８を点灯するステップＳ４に進み、そうでない場合はステップＳ１に戻る。ステップＳ４は、インジケータ点灯指示手段１１からの指示により、ランプ式インジケータ８を点灯させてかご情報を表示する。次に、ステップＳ５に進み、インジケータ点灯指示手段１１が交流電圧波形カウント値をリセットする。そして、ステップＳ１に戻る。
【００１７】
以上の実施の形態１におけるエレベータの乗場表示装置は、次に示す効果を奏する。
交流電圧波形カウント手段１０が交流電源５ａの電圧がゼロとなる回数を交流電源５ａの周期毎に交流電圧波形カウント値をカウントし、インジケータ点灯指示手段１１が交流電圧波形カウント手段１０によってカウントされたカウント値に対応した階のランプ式インジケータ８を点灯させてかご情報を表示する。これにより、各階のランプ式インジケータ８は交流電源５ａの周期毎に点灯するタイミングがずれ、電源装置等に流れる突入電流が重複することがない。従って、電源装置等に流れる電流を低減することができる。また、ランプ式インジケータ８が点灯するタイミングは、交流電源５ａの周期毎にカウントされるカウント値に基づいて行われるので、点灯するタイミングをずらすための制御スイッチなどの機器を必要とせず簡単な構成で実現できる。
【００１８】
さらに、各階の乗場表示装置７は制御盤５とシリアル伝送によって接続されているので、各階の乗場表示装置７に配線されるケーブルの本数を少なくすることができる。
なお、交流電圧波形カウント手段１０は、交流電源５ａの電圧がゼロとなる回数を交流電源５ａの１周期毎にカウントしたが、１／２周期毎にカウントしてもよい。また、交流電源５ａの電圧がゼロとなる回数を周期毎にカウントしたが、交流電源５ａの電圧値に限らず、交流電源５ａの１／２周期や１／４周期など、ある周期毎にカウントしてもよい。望ましくは、交流電源５ａの電圧がゼロとなる回数を交流電源５ａの周期毎にカウントした方がよく、この場合、ランプ式インジケータ８の突入電流自体の大きさも低減できる。さらに、交流電源５ａの周期を１周期よりも小さい周期毎にカウントした方が、各階のランプ式インジケータ８が点灯するタイミングのずれを小さくすることができる。
【００１９】
実施の形態２．
図５は、本発明の実施の形態２におけるエレベータの乗場表示装置の動作を模式的に示した図である。図６は、本発明の実施の形態２におけるエレベータの乗場表示装置の処理動作を示すフローチャートである。実施の形態２は実施の形態１に対して、各階のランプ式インジケータ８を点灯するアルゴリズムが異なるものである。実施の形態２の構成は図１と同等であり、詳細な説明は省略する。また、実施の形態１と同符号のものは相当部分を示す。
【００２０】
実施の形態１では、交流電圧波形カウント値と同じ値の階のランプ式インジケータ８を点灯させるものである。これに対して、実施の形態２は、かご２が通過する階即ち、かご階床位置の階のランプ式インジケータ８を最初に点灯させ、次にかご２の昇降方向に向かって順次、次の階のランプ式インジケータ８を点灯させる。そして、かご階床位置の階に対してかご２の昇降方向と逆方向の一つ手前の階のランプ式インジケータ８を最後に点灯させる。以下に、この実施の形態２におけるランプ式インジケータ８の点灯方法について図５を用いて具体的に説明する。
図５の（ａ）はかご２が上昇する場合で例えば、２階から上昇し４階を通過しようとする際に各階のランプ式インジケータ８が点灯するタイミングを示したものである。逆に図５の（ｂ）はかご２が下降する場合で例えば、６階から下降し４階を通過しようとした際に各階のランプ式インジケータ８が点灯するタイミングを示したものである。
【００２１】
まず、かご２が上昇する場合について説明する。かご２が２階から上昇し４階を通過しようとするとき、実施の形態１と同様に、この時点でかご情報送信手段９がかご情報を交流電圧波形カウント手段１０へ送信する。そして、交流電圧波形カウント手段１０が実施の形態１と同様に、交流電圧波形カウント値をカウントする。インジケータ点灯指示手段１１は、まず、交流電圧波形カウント値が「１」のとき、かご２が通過する階即ち、かご階床位置の階「４階」のランプ式インジケータ８を点灯させる。続いて交流電圧波形カウント値が「２」のとき、かご階床位置の階「４階」の一つ上の階「５階」のランプ式インジケータ８を点灯させる。その後、順次最上階までのランプ式インジケータ８を点灯させる。次に、最下階のランプ式インジケータ８を点灯させ、順次、最下階より一つ上の階のランプ式インジケータ８を点灯させる。そして、かご階床位置の階の一つ下の階のランプ式インジケータ８を最後に点灯させる。
【００２２】
次に、かご２が下降する場合について説明する。かご２が下降する場合は、上昇する場合の逆の手順でランプ式インジケータ８を点灯させる。即ち、次に述べるようにランプ式インジケータ８を点灯させる。かご２が６階から下降し４階を通過しようとするとき、実施の形態１と同様に、この時点でかご情報送信手段９がかご情報を交流電圧波形カウント手段１０へ送信する。そして、交流電圧波形カウント手段１０が実施の形態１と同様に、交流電圧波形カウント値をカウントする。インジケータ点灯指示手段１１は、まず、交流電圧波形カウント値が「１」のとき、かご階床位置の階「４階」のランプ式インジケータ８を点灯させる。続いて交流電圧波形カウント値が「２」のとき、かご階床位置の階「４階」の一つ下の階「３階」のランプ式インジケータ８を点灯させる。その後、順次最下階までのランプ式インジケータ８を点灯させる。次に、最上階のランプ式インジケータ８を点灯させ、順次、最上階より一つ下の階のランプ式インジケータ８を点灯させる。そして、かご階床位置の階の一つ上の階のランプ式インジケータ８を最後に点灯させる。
【００２３】
以上、ランプ式インジケータ８の点灯方法を具体例を示して説明したが、次に、一般的な場合におけるランプ式インジケータ８の点灯方法を説明する。
最下階をＮｍｉｎ、最上階をＮｍａｘ、かご階床位置の階をＮｐ、ランプ式インジケータ８を点灯させる階をＮｒ、交流電圧波形カウント値をｎとする。
Ｎｒ階は次の式で求められる。そして、求められたＮｒ階のランプ式インジケータ８を点灯させる。
１．かご２が上昇している場合
Ｎｒ＝Ｎｍａｘとなった時点のｎをｎａｕｐとすると、
ｎａｕｐ＝Ｎｍａｘ―Ｎｐ＋１  ・・・・・・・・（式１）
（１）ｎ≦ｎａｕｐのとき
Ｎｒ＝Ｎｐ＋（ｎ−１）  ・・・・・・・・（式２）
（２）ｎ＞ｎａｕｐのとき
Ｎｒ＝Ｎｍｉｎ＋（ｎ―ｎａｕｐ−１）  ・・・・・・・・（式３）
２．かご２が下降している場合
Ｎｒ＝Ｎｍｉｎとなった時点のｎをｎａｄｗｏｎとすると、
ｎａｄｗｏｎ＝Ｎｐ―Ｎｍｉｎ＋１  ・・・・・・・・（式４）
（１） ｎ≦ｎａｄｗｏｎのとき
Ｎｒ＝Ｎｐ―（ｎ−１）  ・・・・・・・・（式５）
（２） ｎ＞ｎａｄｗｏｎのとき
Ｎｒ＝Ｎｍａｘ―（ｎ―ｎａｄｗｏｎ−１）  ・・・・・・・・（式６）
【００２４】
次に、本発明の実施の形態２におけるエレベータの乗場表示装置の処理動作を図６を用いて説明する。図６は実施の形態２における乗場表示装置の処理動作を示すフローチャートである。
ステップＳ１からＳ２までは実施の形態１と同様であり、説明を省略する。ステップＳ２の次に、インジケータ点灯指示手段１１がかご２の昇降方向を判断する（ステップＳ６）。かご２が上昇している場合は、ステップＳ７に進み、かご２が下降している場合は、ステップＳ８に進む。ステップＳ７では交流電圧波形カウント値「ｎ」と式１で表された「ｎａｕｐ」の値を比較する。「ｎ」が「ｎａｕｐ」以下の場合、ズテップＳ９に進み、ランプ式インジケータ８を点灯させる階Ｎｒを式２により求める。「ｎ」が「ｎａｕｐ」より大きい場合、ズテップＳ１０に進み、ランプ式インジケータ８を点灯させる階Ｎｒを式３により求める。ステップＳ８では交流電圧波形カウント値「ｎ」と式４で表された「ｎａｄｗｏｎ」の値を比較する。「ｎ」が「ｎａｄｗｏｎ」以下の場合、ズテップＳ１１に進み、ランプ式インジケータ８を点灯させる階Ｎｒを式５により求める。「ｎ」が「ｎａｄｗｏｎ」より大きい場合、ズテップＳ１２に進み、ランプ式インジケータ８を点灯させる階Ｎｒを式６により求める。
【００２５】
次に、ステップＳ９からＳ１２のいずれかによって求められたランプ式インジケータ８を点灯させる階Ｎｒの値と階床データ「Ｎ階」の値とを比較する（ステップＳ１３）。このステップＳ１３では、ランプ式インジケータ８を点灯させる階Ｎｒの値が階床データ「Ｎ階」の値と同じである場合、ランプ式インジケータ８を点灯するステップＳ４に進み、そうでない場合はステップＳ１に戻る。ステップＳ４及びステップＳ５については実施の形態１と同様であり、説明を省略する。
【００２６】
以上の実施の形態２におけるエレベータの乗場表示装置は、実施の形態１と同様な効果を奏するとともに次に示す効果も奏する。
各階のランプ式インジケータ８は、交流電源５ａの周期に応じて点灯するタイミングをずらしている。従って、ランプ式インジケータ８は階によって点灯が開始する時間がずれてしまう。一方、かご２が通過しようとしている階即ち、かご階床位置の階については、他の階よりも早期にランプ式インジケータ８を点灯させ、乗客に対してかご２の昇降動作に遅れることなくかご情報を認識させることが望ましい。
例えば、階床が１００階数のエレベータにおいては、そのずれは最大でも２ｓｅｃ程度となる。実施の形態１では、かご階床位置の階が最上階に近い場合、かご２が通過した後にランプ式インジケータ８が点灯してしまう可能性がある。そのため、かご階床位置の階を早期に点灯することが望ましい。
【００２７】
実施の形態２は、１番目の交流電圧波形カウント値に対してかご階床位置の階のランプ式インジケータ８を最初に点灯させ、次に、２番目以降の交流電圧波形カウント値に対して、順次、かご２の昇降方向に向かって、次の階のランプ式インジケータ８を点灯させる。これにより、まさにかご２が通過しようとする階の乗客に対して早期にかご情報を認識させることができる。従って、かご２の昇降動作に応じて優先度の高い順に各階の乗客に対してかご情報を認識させることができ、利便性が良いエレベータの乗場表示装置が得られる。
さらに、実施の形態２は、かご階床位置の階に対してかご２の昇降方向と逆方向の一つ手前の階のランプ式インジケータ８を最後に点灯させる。かご階床位置の階の一つ手前の階については、最もかご２が通過するのに時間のかかる階であることや、当該の階の乗客が少ないことなどの理由により、乗客に対してかご情報を認識させるのに優先度が低い。従って、かご階床位置の階に対してかご２の昇降方向と逆方向の一つ手前の階のランプ式インジケータ８を最後に点灯することにより、さらに、利便性が良いエレベータの乗場表示装置が得られる。
【００２８】
実施の形態３．
図７は、図１に相当し、本発明の実施の形態３におけるエレベータの乗場表示装置を用いたエレベータの全体構成図である。
実施の形態１は、各階の乗場表示装置７に交流電圧波形カウント手段１０とインジケータ点灯指示手段１１と階床設定手段１２を設けている。そして、制御盤５と各階の乗場表示装置７とをシリアル伝送により接続している。これに対して、実施の形態３は、制御盤２０に交流電圧波形カウント手段２１とインジケータ点灯指示手段２２を設け、制御盤２０と各階の乗場表示装置２３とをパラレル伝送により接続したものである。なお、階床設定手段１２は設けていない。その他、図１と同符号のものは相当部分を示す。
交流電圧波形カウント手段２１は、実施の形態１と同様に、かご情報送信手段９からかご情報を受信する。そして、交流電圧波形カウント手段２１は、かご情報送信手段９からの受信を起点に、交流電源５ａの電圧波形に基づいて、交流電圧波形カウント値をカウントする。そして、交流電圧波形カウント手段２１は交流電圧波形カウント値とかご情報をインジケータ点灯指示手段２２へ送信する。
【００２９】
インジケータ点灯指示手段２２は、交流電圧波形カウント値に対応した階のランプ式インジケータ８を点灯させてかご情報を表示させる。即ち、インジケータ点灯指示手段２２は、交流電圧波形カウント値「ｎ」の値と同じ階の乗場表示装置２３に、ランプ式インジケータ８の点灯信号をパラレルに送信し、ランプ式インジケータ８を点灯させる。その他、ランプ式インジケータ８の点灯するタイミングなどの動作は実施の形態１と同様である。なお、各階のランプ式インジケータ８を点灯させる動作を実施の形態２と同様な動作で行ってもよい。
【００３０】
実施の形態３によれば、交流電圧波形カウント手段２１とインジケータ点灯指示手段２２を制御盤２０に設け、制御盤２０と各階の乗場表示装置２３とをパラレル伝送により接続したことにより、各階の乗場表示装置２３に交流電圧波形カウント手段２１とインジケータ点灯指示手段２２を設ける必要がなく、システム全体を簡略化できる。さらに、階床設定手段１２も設ける必要がなく、システム全体を簡略化できる。制御盤２０と各階の乗場表示装置２３とをパラレル伝送に接続すると、接続ケーブルの本数は階数分必要となるが、階数の少ないエレベータでは、パラレル伝送にしても接続ケーブルの本数も少なくて済み、システム全体を簡略化することができ有効である。
【符号の説明】
【００３１】
２  かご、  ５  制御盤、  ５ａ  交流電源、  ６  乗場、  ７  乗場表示装置、
８  ランプ式インジケータ、  ９  かご情報送信手段、  
１０  交流電圧波形カウント手段、  １１  インジケータ点灯指示手段、  
１２  階床設定手段、
【図１】
2010180010.tif 000003
【図２】
2010180010.tif 000004
【図３】
2010180010.tif 000005
【図４】
2010180010.tif 000006
【図５】
2010180010.tif 000007
【図６】
2010180010.tif 000008
【図７】
2010180010.tif 000009